(57)【要約】無線端末（２）は、無線端末（２）のために基地局（１）により設定されるサーチスペースのリストを示す第１の情報要素を、当該無線端末（２）あての個別シグナリングメッセージを介して受信する。当該第１の情報要素は、当該リストに含まれる各サーチスペースにおいてダウンリンク制御情報をモニターするために無線端末（２）に必要な各サーチスペースの設定を示す第２の情報要素を包含する。当該第１の情報要素は、さらに、各サーチスペースが当初は非活性化されるかをサーチスペース毎に示す第３の情報要素を含む。これにより、例えば、ダウンリンク制御情報の送信に使用される無線リソース範囲又はそこでの無線端末の受信動作を速やかに非活性化することに寄与できる。
2020166207.tif 000002
【特許請求の範囲】
【請求項１】
無線端末であって、
少なくとも１つのメモリと、
前記少なくとも１つのメモリに結合された少なくとも１つのプロセッサと、
を備え、
前記少なくとも１つのプロセッサは、前記無線端末のために基地局により設定されるサーチスペース（search spaces）のリストを示す第１の情報要素を、前記無線端末あての個別シグナリングメッセージを介して受信するよう構成され、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、各サーチスペースが当初は（initially）非活性化されるかをサーチスペース毎（per-search space）に示す第３の情報要素を含む、
無線端末。
【請求項２】
前記少なくとも１つのプロセッサは、前記第３の情報要素に基づいて、各サーチスペースがダウンリンク制御情報を受信するためにモニターされる必要があるか否かをサーチスペース毎に判断するよう構成される、
請求項１に記載の無線端末。
【請求項３】
前記少なくとも１つのプロセッサは、前記第３の情報要素が非活性化を示す場合に、前記第３の情報要素に関連付けられたサーチスペースがダウンリンク制御情報を受信するためにモニターされる必要がないと判断するよう構成され、
前記少なくとも１つのプロセッサは、前記第３の情報要素が非活性化を示さない場合に、前記第３の情報要素に関連付けられた前記サーチスペースがダウンリンク制御情報を受信するためにモニターされる必要があると判断するよう構成される、
請求項１又は２に記載の無線端末。
【請求項４】
前記少なくとも１つのプロセッサは、Radio Resource Control（RRC）レイヤ動作を行うよう構成され、
前記RRCレイヤ動作は、前記第３の情報要素が非活性化を示す場合に、前記第３の情報要素に関連付けられたサーチスペースがモニターされなくてもよいことを前記無線端末の物理レイヤに知らせることを含む、
請求項１〜３のいずれか１項に記載の無線端末。
【請求項５】
前記少なくとも１つのプロセッサは、Radio Resource Control（RRC）レイヤ動作を行うよう構成され、
前記RRCレイヤ動作は、前記第３の情報要素が非活性化を示す場合に、前記第３の情報要素に関連付けられたサーチスペースをモニターしないように前記無線端末の物理レイヤを設定することを含む、
請求項１〜３のいずれか１項に記載の無線端末。
【請求項６】
前記第２の情報要素は、各サーチスペースの識別子を示す情報要素を含む、
請求項１〜５のいずれか１項に記載の無線端末。
【請求項７】
前記第２の情報要素は、各サーチスペースのリソース位置を示す情報要素、各サーチスペースのタイプを示す情報要素、各サーチスペースでモニターされるべきダウンリンク制御情報のタイプを示す情報要素、及び各サーチスペースの周期性（periodicity）を示す情報要素、のうち少なくとも１つを含む、
請求項１〜６いずれか１項に記載の無線端末。
【請求項８】
前記第１の情報要素は、１つのダウンリンクBandwidth Part（BWP）の設定に関し、
前記第２及び第３の情報要素は、前記ダウンリンクBWP内に設定される各サーチスペースに関する、
請求項１〜７のいずれか１項に記載の無線端末。
【請求項９】
前記個別シグナリングメッセージは、Radio Resource Control（RRC）メッセージである、
請求項１〜８のいずれか１項に記載の無線端末。
【請求項１０】
前記第１の情報要素は、searchSpacesToAddModList情報要素であり、
前記第２の情報要素は、前記searchSpacesToAddModList情報要素に包含されるSearchSpace情報要素であり、
前記第３の情報要素は、前記SearchSpace情報要素に包含される、
請求項９に記載の無線端末。
【請求項１１】
前記少なくとも１つのプロセッサは、他の基地局から前記基地局への前記無線端末のハンドオーバの際に、前記他の基地局を介して前記個別シグナリングメッセージを受信するよう構成される、
請求項１〜１０のいずれか１項に記載の無線端末。
【請求項１２】
基地局であって、
少なくとも１つのメモリと、
前記少なくとも１つのメモリに結合された少なくとも１つのプロセッサと、
を備え、
前記少なくとも１つのプロセッサは、無線端末のために前記基地局により設定されるサーチスペース（search spaces）のリストを示す第１の情報要素を、前記無線端末あての個別シグナリングメッセージを介して前記無線端末に送信するよう構成され、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、各サーチスペースが当初は（initially）非活性化されるかをサーチスペース毎（per-search space）に示す第３の情報要素を含む、
基地局。
【請求項１３】
前記第３の情報要素は、各サーチスペースがダウンリンク制御情報を受信するためにモニターされる必要があるか否かをサーチスペース毎に判断することを前記無線端末に促す、
請求項１２に記載の基地局。
【請求項１４】
前記第３の情報要素は、前記第３の情報要素が非活性化を示す場合に、前記第３の情報要素に関連付けられたサーチスペースがダウンリンク制御情報を受信するためにモニターされる必要がないと判断することを前記無線端末に促し、
前記第３の情報要素は、前記第３の情報要素が非活性化を示さない場合に、前記第３の情報要素に関連付けられた前記サーチスペースがダウンリンク制御情報を受信するためにモニターされる必要があると判断することを前記無線端末に引き起す、
請求項１２又は１３に記載の基地局。
【請求項１５】
前記第３の情報要素は、前記第３の情報要素が非活性化を示す場合に、前記第３の情報要素に関連付けられたサーチスペースがモニターされなくてもよいことを前記無線端末の物理レイヤに知らせることを前記無線端末のRadio Resource Control（RRC）レイヤに促す、
請求項１２〜１４のいずれか１項に記載の基地局。
【請求項１６】
前記第３の情報要素は、前記第３の情報要素が非活性化を示す場合に、前記第３の情報要素に関連付けられたサーチスペースをモニターしないように前記無線端末の物理レイヤを設定することを前記無線端末のRadio Resource Control（RRC）レイヤに促す、
請求項１２〜１４のいずれか１項に記載の基地局。
【請求項１７】
前記第２の情報要素は、各サーチスペースの識別子を示す情報要素を含む、
請求項１２〜１６のいずれか１項に記載の基地局。
【請求項１８】
前記第２の情報要素は、各サーチスペースのリソース位置を示す情報要素、各サーチスペースのタイプを示す情報要素、各サーチスペースでモニターされるべきダウンリンク制御情報のタイプを示す情報要素、及び各サーチスペースの周期性（periodicity）を示す情報要素、のうち少なくとも１つを含む、
請求項１２〜１７いずれか１項に記載の基地局。
【請求項１９】
前記第１の情報要素は、１つのダウンリンクBandwidth Part（BWP）内に設定される複数のサーチスペースに関し、
前記第２及び第３の情報要素は、前記ダウンリンクBWP内に設定される各サーチスペースに関する、
請求項１２〜１８のいずれか１項に記載の基地局。
【請求項２０】
前記個別シグナリングメッセージは、Radio Resource Control（RRC）メッセージである、
請求項１２〜１９のいずれか１項に記載の基地局。
【請求項２１】
前記第１の情報要素は、searchSpacesToAddModList情報要素であり、
前記第２の情報要素は、前記searchSpacesToAddModList情報要素に包含されるSearchSpace情報要素であり、
前記第３の情報要素は、前記SearchSpace情報要素に包含される、
請求項２０に記載の基地局。
【請求項２２】
前記少なくとも１つのプロセッサは、他の基地局から前記基地局への前記無線端末のハンドオーバの際に、前記他の基地局を介して前記個別シグナリングメッセージを前記無線端末に送信するよう構成される、
請求項１２〜２１のいずれか１項に記載の基地局。
【請求項２３】
無線端末のための方法であって、
前記無線端末のために基地局により設定されるサーチスペース（search spaces）のリストを示す第１の情報要素を、前記無線端末あての個別シグナリングメッセージを介して受信することを備え、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、各サーチスペースが当初は（initially）非活性化されるかをサーチスペース毎（per-search space）に示す第３の情報要素を含む、
方法。
【請求項２４】
基地局のための方法であって、
無線端末のために前記基地局により設定されるサーチスペース（search spaces）のリストを示す第１の情報要素を、前記無線端末あての個別シグナリングメッセージを介して前記無線端末に送信することを備え、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、は、各サーチスペースが当初は（initially）非活性化されるかをサーチスペース毎（per-search space）に示す第３の情報要素を含む、
方法。
【請求項２５】
無線端末のための方法をコンピュータに行わせるためのプログラムを格納した非一時的なコンピュータ可読媒体であって、
前記方法は、前記無線端末のために基地局により設定されるサーチスペース（search spaces）のリストを示す第１の情報要素を、前記無線端末あての個別シグナリングメッセージを介して受信することを備え、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、各サーチスペースが当初は（initially）非活性化されるかをサーチスペース毎（per-search space）に示す第３の情報要素を含む、
非一時的なコンピュータ可読媒体。
【請求項２６】
基地局のための方法をコンピュータに行わせるためのプログラムを格納した非一時的なコンピュータ可読媒体であって、
前記方法は、無線端末のために前記基地局により設定されるサーチスペース（search spaces）のリストを示す第１の情報要素を、前記無線端末あての個別シグナリングメッセージを介して前記無線端末に送信することを備え、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、は、各サーチスペースが当初は（initially）非活性化されるかをサーチスペース毎（per-search space）に示す第３の情報要素を含む、
非一時的なコンピュータ可読媒体。
【発明の詳細な説明】
【技術分野】
【０００１】
本開示は、無線通信システムに関し、基地局から無線端末へのダウンリンク制御情報の送信に関する。
【背景技術】
【０００２】
基地局（e.g., Long Term Evolution (LTE) eNB又はNR gNB）は、ダウンリンク制御情報（Downlink Control Information（DCI））を物理レイヤのダウンリンク制御チャネル（e.g., Physical Downlink Control Channel（PDCCH））で無線端末（e.g., User Equipment（UE）又はNR UE）に送信する。DCIは様々な用途で使用され、したがって様々なDCIフォーマットが定義されている。DCIの主要な目的の１つは、物理アップリンク共有チャネル（Physical Uplink Shared Channel（PUSCH））のスケジューリング及び物理ダウンリンク共有チャネル（Physical Downlink Shared Channel（PDSCH））のスケジューリング（つまり、リソース割り当て）を無線端末に知らせることである。この他に、DCIは、例えば、送信電力制御の送信のために使用される。【０００３】
無線端末は、予め定義された（あるいは基地局によって設定された）リソース範囲（range）（i.e., Control Channel Elements (CCE) locations、CCE resources）内で、自身宛のDCIを包含するPDCCH（以下、PDCCH/DCI）を検出すべく、各PDCCH候補（PDCCH candidate）をデコードするよう試行しなければならない。具体的には、UEは、全ての可能性のある（all possible）PDCCH位置（locations）、PDCCHフォーマット（formats）及びDCIフォーマット（formats）をチェックする必要がある。このような動作は、ブラインド・デコーディングと呼ばれる。【０００４】
PDCCH/DCIが送信される可能性がある位置（locations）は、PDCCHフォーマット（e.g., PDCCH送信のためにアグリゲートされるCCEsの数（i.e. aggregation level））に依存する。PDCCH/DCIが送信される可能性がある各位置はPDCCH candidateと呼ばれる。UEがモニターするべきPDCCH candidatesのセットはPDCCH search spaces又は単にsearch spacesと呼ばれる。１つのsearch spaceは、あるPDCCHフォーマットのPDCCH candidatesのセットである。UE-specific search space（USS）及びCommon Search Space（CSS）と呼ばれる２タイプのサーチスペースがある。UE-specific search spaceは、個別（dedicated）シグナリングメッセージ（e.g., Radio Resource Control (RRC)メッセージ）を介して、各UEに個々に（individually）設定される。したがって、UEは、UE-specific search spaceについての情報を得るためにRRCコネクション確立を完了する必要がある。一方、全てのUEsは、Common Search Spaceの範囲（the extent or range）を知っている。各UE（every UE）は、予め定義されたルール、全てのUE（every UE）が受信可能な情報（i.e., Master Information Block（MIB））、又はUE個別シグナリングメッセージによって、ブラインド・デコーディングを試行する必要があるCommon Search Spaceを知る。Common Search Spaceは、例えば、システム情報、ページング、及びrandom access channel (RACH) responseをブロードキャストするために使用される。【０００５】
UEは、通信状態において、継続的に多くのブラインド・デコーディング試行（attempts）を行う必要があり、これにより多くの電力を消費することが知られている。通常この消費電力のほとんどが、自身宛ではないPDCCHのデコードに費やされている。この問題に対処するため、PDCCH monitoring及びブラインド・デコーディングを減らすことによる電力節約（power saving）スキームについての提案がなされている（非特許文献１−７を参照）。提案されたスキームは、これらに限られないが例えば、Triggering of PDCCH monitoring、PDCCH skipping、Multiple CORESET/search space configurations、及びUE assistance information/feedback for the power saving schemesを含む。
【先行技術文献】
【非特許文献】
【０００６】
【非特許文献１】MediaTek Inc., “Adaptation Designs for NR UE Power Saving”, R1-1900192, 3GPP TSG RAN WG1 Ad-Hoc Meeting 1901, Taipei, Taiwan, 21st-25th January, 2019
【非特許文献２】OPPO, “UE Adaptation to the Traffic and UE Power Consumption”, R1-1900305, 3GPP TSG RAN WG1 Ad-Hoc Meeting 1901, Taipei, Taiwan, 21st-25th January, 2019
【非特許文献３】CMCC, “Discussion on UE power saving schemes with adaption to UE traffic”, R1-1900421, 3GPP TSG RAN WG1 Ad-Hoc Meeting 1901, Taipei, Taiwan, 21st-25th January, 2019
【非特許文献４】InterDigital, Inc., “On Power Saving Techniques”, R1-1900813, 3GPP TSG RAN WG1 Ad-Hoc Meeting 1901, Taipei, Taiwan, 21st-25th January, 2019
【非特許文献５】Qualcomm Incorporated, “UE Adaptation to the Traffic and UE Power Consumption Characteristics”, R1-1900911, 3GPP TSG RAN WG1 Ad-Hoc Meeting 1901, Taipei, Taiwan, 21st-25th January, 2019
【非特許文献６】Samsung, “On UE adaptation Schemes”, R1-1901087, 3GPP TSG RAN WG1 Ad-Hoc Meeting 1901, Taipei, Taiwan, 21st-25th January, 2019
【非特許文献７】3GPP TR 38.840 V0.1.0 (2018-11) “3rd Generation Partnership Project; Technical Specification Group Radio Access Network;NR; Study on UE Power Saving (Release 16)”, November 2018
【発明の概要】
【発明が解決しようとする課題】
【０００７】
現在の3GPP仕様では、無線端末はRRCシグナリングメッセージを介してsearch spacesを（準静的に）設定された場合、UEは各設定されたsearch spaceにおいてPDCCH monitoringを試みる必要がある。言い換えると、UEに設定された各search spaceは、UEがここでPDCCH monitoringを試行できるようにするために当初に（initially）活性化（activated）される。したがって、例えば、上述の電力節約の提案では、無線端末は、特定のsearch spaceでのPDCCH monitoringのスキップ（又は特定のsearch spaceの非活性化（deactivation））を示すシグナリング（e.g., power saving signal又はgo-to-sleep signaling）を受信するまで、当該search spaceでのPDCCH monitoringを行う必要がある。しかしながら、PDCCH monitoringに要する電力消費を低減するためには、無線端末が受信しなくてもよいsearch spaceは速やかに非活性化（deactivated）されることが好ましい。【０００８】
本明細書に開示される実施形態が達成しようとする目的の１つは、ダウンリンク制御情報の送信に使用される無線リソース範囲（e.g., search space、control resource set (CORSET)、CCEs、又はresource element groups (REGs)）又はそこでの無線端末の受信動作を速やかに非活性化することに寄与する装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【０００９】
第１の態様では、無線端末は、少なくとも１つのメモリ、及び前記少なくとも１つのメモリに結合された少なくとも１つのプロセッサを含む。前記少なくとも１つのプロセッサは、前記無線端末のために基地局により設定されるサーチスペース（search spaces）のリストを示す第１の情報要素を、前記無線端末あての個別シグナリングメッセージを介して受信するよう構成される。前記第１の情報要素は、前記リストに含まれる各サーチスペースにおいてダウンリンク制御情報をモニターするために前記無線端末に必要な各サーチスペースの設定を示す第２の情報要素を包含する。前記第１の情報要素は、さらに、は、各サーチスペースが当初は（initially）非活性化されるかをサーチスペース毎（per-search space）に示す第３の情報要素を含む。【００１０】
第２の態様では、基地局は、少なくとも１つのメモリ、及び前記少なくとも１つのメモリに結合された少なくとも１つのプロセッサを含む。前記少なくとも１つのプロセッサは、無線端末のために前記基地局により設定されるサーチスペース（search spaces）のリストを示す第１の情報要素を、前記無線端末あての個別シグナリングメッセージを介して前記無線端末に送信するよう構成される。前記第１の情報要素は、前記リストに含まれる各サーチスペースにおいてダウンリンク制御情報をモニターするために前記無線端末に必要な各サーチスペースの設定を示す第２の情報要素を包含する。前記第１の情報要素は、さらに、は、各サーチスペースが当初は（initially）非活性化されるかをサーチスペース毎（per-search space）に示す第３の情報要素を含む。【００１１】
第３の態様では、無線端末のための方法は、前記無線端末のために基地局により設定されるサーチスペース（search spaces）のリストを示す第１の情報要素を、前記無線端末あての個別シグナリングメッセージを介して受信することを含む。前記第１の情報要素は、前記リストに含まれる各サーチスペースにおいてダウンリンク制御情報をモニターするために前記無線端末に必要な各サーチスペースの設定を示す第２の情報要素を包含する。前記第１の情報要素は、さらに、は、各サーチスペースが当初は（initially）非活性化されるかをサーチスペース毎（per-search space）に示す第３の情報要素を含む。【００１２】
第４の態様では、基地局のための方法は、無線端末のために前記基地局により設定されるサーチスペース（search spaces）のリストを示す第１の情報要素を、前記無線端末あての個別シグナリングメッセージを介して前記無線端末に送信することを含む。前記第１の情報要素は、前記リストに含まれる各サーチスペースにおいてダウンリンク制御情報をモニターするために前記無線端末に必要な各サーチスペースの設定を示す第２の情報要素を包含する。前記第１の情報要素は、さらに、は、各サーチスペースが当初は（initially）非活性化されるかをサーチスペース毎（per-search space）に示す第３の情報要素を含む。【００１３】
第５の態様では、プログラムは、コンピュータに読み込まれた場合に、上述の第３又は第４の態様に係る方法をコンピュータに行わせるための命令群（ソフトウェアコード）を含む。
【発明の効果】
【００１４】
上述の態様によれば、ダウンリンク制御情報の送信に使用される無線リソース範囲（e.g., search space、control resource set (CORSET)、CCEs、又はresource element groups (REGs)）又はそこでの無線端末の受信動作を速やかに非活性化することに寄与することに寄与する装置、方法、及びプログラムを提供できる。
【図面の簡単な説明】
【００１５】
【図１】実施形態に係る無線通信ネットワークの構成例を示す図である。
【図２】第１の実施形態に係る基地局及び無線端末の動作の一例を示すシーケンス図である。
【図３】第１の実施形態に係る基地局の動作の一例を示すフローチャートである。
【図４】第１の実施形態に係る無線端末の動作の一例を示すフローチャートである。
【図５】RRCシグナリングメッセージで送信されるSearch Space情報要素のフォーマットの一例を示す図である。
【図６Ａ】サーチスペースの活性化／非活性化のためのMedium Access Control (MAC) Control Element (CE)のフォーマット一例を示す図である。
【図６Ｂ】サーチスペースの活性化／非活性化のためのMAC CEのフォーマット一例を示す図である。
【図６Ｃ】サーチスペースの活性化／非活性化のためのMAC CEのフォーマット一例を示す図である。
【図７】幾つかの実施形態に係る基地局の構成例を示すブロック図である。
【図８】幾つかの実施形態に係る無線端末の構成例を示すブロック図である。
【発明を実施するための形態】
【００１６】
以下では、具体的な実施形態について、図面を参照しながら詳細に説明する。各図面において、同一又は対応する要素には同一の符号が付されており、説明の明確化のため、必要に応じて重複説明は省略される。
【００１７】
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００１８】
以下に示される複数の実施形態は、3GPP第5世代移動通信システム（5G system）を主な対象として説明される。しかしながら、これらの実施形態は、例えばLTE system又はLTE-Advanced systemのような他の無線通信システムに適用されてもよい。
【００１９】
＜第１の実施形態＞
図１は、本実施形態を含む幾つかの実施形態に係る無線通信ネットワークの構成例を示している。図１の例では、無線通信ネットワークは、基地局（i.e., gNB）1及び無線端末（i.e., UE）２を含む。gNB１は、無線アクセスネットワーク（Radio Access Network（RAN））（i.e., NG-RAN）に配置される。gNB１は、cloud RAN（C-RAN）配置（deployment）におけるgNB Central Unit（gNB-CU）及び１又は複数のgNB Distributed Unit（gNB-DU）を含んでもよい。
【００２０】
UE２は、エアインタフェース１０１を介してgNB１に接続される。UE２は、キャリアグリゲーション（carrier aggregation（CA））を行ってもよい。具体的には、UE２は、gNB１により提供される複数のサービングセルに同時に接続してもよい。複数のサービングセルは、プライマリセル（PCell）及び１又はそれ以上のセカンダリセル（SCells）を含む。UE２は、PCell及び１又はそれ以上のSCellsの間のCAを用いてgNB１と通信する。その際、gNB1は、UE２がセル間でPDCCH monitoringを同期できるようsearch spaceの設定及びこれらの活性化／非活性化を行ってもよい。すなわち、これに限定されないが一例では、UE２は同じ時間（期間）において複数のセルでPDCCH monitoringを行ってもよい。また、UE２は１つのセルで複数のセル向けのPDCCHをモニターしてもよく、これに限定されないが、一例では、UE２は同じ時間（期間）において、同一のsearch spaceで複数セルのPDCCH monitoringを行ってもよい（cross carrier scheduling）。
【００２１】
さらに、UE２は、デュアルコネクティビティ（Dual Connectivity）のために複数の基地局（i.e., Master gNB（MgNB）及びSecondary gNB（SgNB））に同時に接続されてもよい。この場合、図１のgNB１は、MgNBであってもよいし、SgNBであってもよい。MgNBとして動作するgNB１は、PCell及び１又はそれ以上のSCellsを含むMaster Cell Group（MCG）をUE２に提供する。一方、SgNBとして動作するgNB１は、Primary SCG Cell（PSCell）及び１又はそれ以上のSCellsを含むSecondary Cell Group（SCG）をUE２に提供する。MCGのPCell及びSCGのPSCellは、Special Cell（SpCell）とも呼ばれる。例えばcell group の間（e.g., MCG及びSCGの間）の同期が取れている場合、MgNB及びSgNBは、MCG及びSCGのsearch spacesの設定及び状態（i.e., 活性化又は非活性化）を互いに共有してもよい。そして、MgNB及びSgNBは、UE２がcell group間でPDCCH monitoringを同期できるようsearch spaceの設定及びこれらの活性化／非活性化を行ってもよい。すなわち、これに限定されないが一例では、UE２は同じ時間（期間）において複数のcell groupの複数セルでPDCCH monitoringを行ってもよい。
【００２２】
DCは、Multi-Radio Dual Connectivity (MR-DC)であってもよい。MR-DCは、Evolved Universal Mobile Telecommunications System (UMTS) Terrestrial Radio Access (E-UTRA)-NR Dual Connectivity (EN-DC)、NR-E-UTRA DC（NE-DC）、NG-RAN EN-DC（NGEN-DC）、及びNR-NR DC（NR DC）を含む。これらの場合、図１のgNB１は、LTE eNB であってもよく、5Gコアネットワーク（5GC）に接続可能なLTE eNB（Next generation (ng)-eNB）であってもよい。
【００２３】
図２は、本実施形態に係るgNB１及びUE２の動作の一例である処理２００を示すシーケンス図である。ステップ２０１では、gNB１は、個別シグナリングメッセージをUE２に送信する。個別シグナリングメッセージは、UE２に個別に（specifically又はdedicatedly）送信される。5G systemの場合、UE個別シグナリングメッセージは、例えばRRCメッセージである。
【００２４】
ステップ２０１のRRCメッセージは、UE２のためにgNB１により設定（configured）（つまり追加（added）又は修正（modified））されるサーチスペース（search spaces）のリストを示す第１の情報要素（Information Element（IE））を包含する。当該リストは、１又はそれ以上のcommon search spacesを含んでもよいし、１又はそれ以上のUE-specific search spacesを含んでもよい。当該第１の情報要素は、当該リストに含まれる各サーチスペースにおいてDCIを包含するPDCCH（i.e., PDCCH/DCI）をモニターするためにUE２に必要な各サーチスペースの設定を示す第２の情報要素を包含する。
【００２５】
当該第２の情報要素は、例えば、各サーチスペースの識別子を示してもよい。第２の情報要素は、各サーチスペースのリソース位置を示す情報要素、各サーチスペースのタイプを示す情報要素、各サーチスペースでモニターされるべきダウンリンク制御情報のタイプを示す情報要素、及び各サーチスペースの周期性（periodicity）を示す情報要素、のうち少なくとも１つをさらに含んでもよい。
【００２６】
さらにまた、当該第２の情報要素は、各サーチスペースが当初は（initially）非活性化（deactivated）されるかをサーチスペース毎（per-search space）に示す第３の情報要素を含む。これに代えて、第３の情報要素は、該第２の情報要素とは独立に、第１の情報要素に含まれてもよい。
【００２７】
5G systemの場合、gNB１により設定されるサーチスペースのリストを示す第１の情報要素を送信するために使用されるRRCメッセージは、例えば、RRC Setupメッセージ、RRC Reconfigurationメッセージ、又はRRC Resumeメッセージである。RRC Setupメッセージは、RRCコネクションの確立の際に、シグナリング無線ベアラ（i.e., Signaling Radio Bearer 1（SRB1））を確立するために送信される。RRC Reconfigurationメッセージは、既に確立されたRRC connectionを修正（modify）するようUE２に指示するために送信される。RRC Resumeメッセージは、サスペンドされたRRCコネクションを再開（resume）するために送信される。
【００２８】
5G systemの場合、サーチスペース（search spaces）のリストを示す上述の第１の情報要素（Information Element（IE））は、１つのダウンリンクBandwidth Part（BWP）内に設定される複数のサーチスペースに関係してもよい。一方、各サーチスペースの設定を示す第２の情報要素及びこれに含まれる第３の情報要素は、ダウンリンクBWP内に設定される各サーチスペースに関係してもよい。
【００２９】
より具体的には、RRC Setupメッセージ及びRRC ResumeメッセージはMCGの設定（i.e., masterCellGroup IE）を含んでもよい。一方、RRC ReconfigurationメッセージはMCGの設定（i.e., masterCellGroup IE）、若しくはSCGの設定（i.e., masterCellGroup IE）、又はこれら両方を含んでもよい。MCG設定及びSCG設定の各々は各サービングセルの設定（i.e., ServingCellConfig IE）を含んでもよい。各サービングセルの設定はダウンリンクBWPに関する個別（つまりUE-specific）parametersの設定（i.e., BWP-DownlinkDedicated IE）を含んでもよい。ダウンリンクBWPに関する個別設定は、設定（configured）（つまり追加（added）又は修正（modified））されるサーチスペースのリスト（i.e., searchSpacesToAddModList IE）を包含するPDCCH設定（i.e., PDCCH-Config IE）を含んでもよい。当該サーチスペースのリストは、UE個別に（Specifically）に設定されるSearch Spacesのリストであり、各サーチスペースの設定（i.e., SearchSpace IE）を含む。現在の3GPP仕様では、ネットワークは、10 search spaces（UE-specific 及び common Search Spacesを含む）をセル毎（per cell）のBWP毎（per BWP）に設定できる。
【００３０】
なお、SCellに関するサービングセル設定は、ダウンリンクBWPに関する共通（common）parametersの設定（i.e., BWP-DownlinkCommon IE）を含んでもよい。ダウンリンクBWPに関する共通設定は、common search spacesのリスト（i.e., commonSearchSpaceList IE）を包含するPDCCH共通設定（i.e., PDCCH-ConfigCommon IE）を含んでもよい。当該common search spacesのリストは、追加（additional）common search spacesのリストであり、各追加common search spaceの設定（i.e., SearchSpace IE）を含む。
【００３１】
ステップ２０１のRRCメッセージに包含される第３の情報要素は、各サーチスペースがPDCCH/DCIを受信するためにモニターされる必要があるか否かをサーチスペース毎に判断することをUE２に促し（cause）てもよい。言い換えると、UE２は、第３の情報要素に基づいて、各サーチスペースがPDCCH/DCIを受信するためにモニターされる必要があるか否かをサーチスペース毎に判断してもよい。UE２は、非活性化状態のサーチスペースにおいてPDCCH/DCI受信のためのブラインドデコーディングを行わなくてもよい。一方、UE２は、活性化状態のサーチスペースにおいてPDCCH/DCI受信のためのブラインドデコーディングを行う必要がある。
【００３２】
具体的には、第３の情報要素は、これが非活性化を示す場合に、これに関連付けられたサーチスペースがPDCCH/DCIを受信するためにモニターされる必要がないと判断することをUE２に促してもよい。一方、第３の情報要素は、これが非活性化を示さない場合に、これに関連付けられたサーチスペースがPDCCH/DCIを受信するためにモニターされる必要があると判断することをUE２に促してもよい。これにより、UE２は、第３の情報要素が非活性化を示す場合に、当該情報要素に関連付けられたサーチスペースがPDCCH/DCIを受信するためにモニターされる必要がないと判断してもよい。一方、UE２は、第３の情報要素が非活性化を示さない場合に、これに関連付けられたサーチスペースがPDCCH/DCIを受信するためにモニターされる必要があると判断してもよい。
【００３３】
より具体的には、第３の情報要素は、これが非活性化を示す場合に、これに関連付けられたサーチスペースがモニターされなくてもよいことをUE２の物理レイヤに知らせることをUE２のRRCレイヤに促してもよい。これにより、UE２のRRCレイヤは、第３の情報要素が非活性化を示す場合に、当該情報要素に関連付けられたサーチスペースがモニターされなくてもよいことをUE２の物理レイヤに知らせてもよい。言い換えると、UE２のRRCレイヤは、第３の情報要素が非活性化を示す場合に、当該情報要素に関連付けられたサーチスペースをモニターしないようにUE２の物理レイヤを設定してもよい。
【００３４】
図３は、本実施形態に係るgNB１の動作の一例を示すフローチャートである。ステップ３０１では、gNB１は、UE２に設定されるサーチスペースのリストを作成する。当該リストは、各サーチスペースが当初は非活性化されるかをサーチスペース毎に示す。ステップ３０２では、gNB１は、当該サーチスペースのリストをRRCメッセージを介してUE２に送信する。
【００３５】
図４は、本実施形態に係るUE２の動作の一例を示すフローチャートである。ステップ４０１では、UE２に設定されるサーチスペースのリストをRRCメッセージを介してgNB１から受信する。ステップ４０２では、UE２は、設定される各サーチスペースがPDCCH/DCIを受信するためにモニターされる必要があるか否かをサーチスペース毎に判断する。
【００３６】
図５は、RRCシグナリングメッセージで送信されるSearch Space IEのフォーマットの一例を示している。図５の例では、Search Space IEは、“toMonitor”IE（５０５）を含む。toMonitor IE（５０５）は、当該Search Space IEに関連付けられた（当該Search Space IEにより設定される）サーチスペースが当初は非活性化状態であることを示す。gNB１は、当該サーチスペースを当初は非活性化する場合に、toMonitor IE（５０５）をSearch Space IEに含める。UE２は、Search Space IE がtoMonitor IE（５０５）を含むなら、当該Search Space IEに関連付けられたサーチスペースが当初は非活性化状態であると判断してもよい。一方、UE２は、Search Space IE がtoMonitor IE（５０５）を含まないなら、当該Search Space IEに関連付けられたサーチスペースが当初は活性化されると判断してもよい。
【００３７】
これとは反対に、gNB１は、当該サーチスペースを当初は活性化する場合に、toMonitor IE（５０５）をSearch Space IEに含めてもよい。この場合、UE２は、Search Space IE がtoMonitor IE（５０５）を含まないなら、当該Search Space IEに関連付けられたサーチスペースが当初は非活性化状態であると判断してもよい。
【００３８】
これに代えて、Search Space IEは、サーチスペースの初期状態がActivated又はdeactivatedのいずれであるかを明示してもよい。
【００３９】
図５に示されているように、Search Space IEは、searchSpaceId IE（５０１）、controlResourceSetId IE（５０２）、monitoringSlotPeriodicityAndOffset IE（５０３）、及びsearchSpaceType IE（５０４）等の他の情報要素を含んでもよい。searchSpaceId IE（５０１）は、このSearch Space IEによって設定されるサーチスペースの識別子を示す。controlResourceSetId IE（５０２）は、このSearch Space IEによって設定されるサーチスペースのために適用されるControl Resource Set（CORESET）の識別子を示す。CORESETは、PDCCH/DCIを運ぶために使用される物理リソース（physical resources）のセット及びパラメータ（parameters）のセットである。monitoringSlotPeriodicityAndOffset IE（５０３）は、PDCCH Monitoringが行われるスロット（slots）を周期性（periodicity）及びオフセット（offset）により示す。searchSpaceType IE（５０４）は、このSearch Space IEによって設定されるサーチスペースがcommon search space又はUE specific search spaceのいずれであるかを示し、当該サーチスペースでモニターされるDCI formatsを示す。
【００４０】
一例では、gNB１は、UE２のために設定される１またはそれ以上のUE-specific search spacesをすべて非活性化に設定してもよい。この場合、UE２はPDCCH/DCI受信をcommon search spaceにて行ってもよい。
【００４１】
本実施形態によれば、gNB１は、複数のサーチスペースを追加又は修正するためのサーチスペース設定（i.e., PDCCH/DCIをモニターするためにUE２に必要な設定）とともに、各サーチスペースが当初は（initially）非活性化（deactivated）されるかをサーチスペース毎（per-search space）に示す情報要素（i.e.,上述の第３の情報要素）を、UE２に送信する。これにより、UE２は、当該情報要素に基づいて、設定される（つまり追加又は修正される）サーチスペースが当初から非活性化されると考える（consider）ことができる。言い換えると、UE２は、当該情報要素に基づいて、当該サーチスペースを活性化せずに、速やかに非活性化状態とすることができ、当該サーチスペースでの受信動作（e.g., PDCCH/DCI受信のためのブラインドデコーディング）を速やかに非活性化できる。したがって、UE２は、新たに設定（i.e., 追加又は修正）されたサーチスペースにおいて当初からPDCCH/DCI受信のためのブラインドデコーディング行わないように動作することができる。
【００４２】
＜第２の実施形態＞
本実施形態は、第１の実施形態の変形例を説明する。本実施形態に係る無線通信ネットワークの構成例は図１に示されたそれと同様である。
【００４３】
gNB１は、当初から非活性化状態とされたサーチスペースを、必要に応じて、任意の時点で（at a given time）、活性化してもよい。
【００４４】
さらに、gNB１は、UE２がPDCCH/DCIをモニターする頻度（又は周期）を調整するために１又はそれ以上のサーチスペースの活性化及び非活性化を動的に変更してもよい。
【００４５】
例えば、gNB１は、UE２へのスケジューリング頻度（又は周期）の増加を検出した場合（言い換えると、スケジューリングqueueが短いことを検出した場合、またはスケジューリングqueueが短くなったことを検出した場合）、gNB１は、UE２に設定されたが非活性化状態であるサーチスペースを活性化してもよい。すなわち、gNB１は、サーチスペースの活性化を示す指示（e.g., Layer-1シグナリング又はLayer-2シグナリング）をUE２に送信してもよい。
【００４６】
さらに又はこれに代えて、PDCCH/DCIをモニターする頻度（又は周期）の増加を示す明示的又は暗示的な要求をUE２から受信した場合に、gNB１は、当該UE２に設定されたが非活性化状態である１又はそれ以上のサーチスペースを活性化してもよい。UE２からgNB１への当該要求は、RRCレイヤのシグナリングであってもよいし、MACレイヤ（Layer-2）のシグナリングであってもよいし、物理レイヤ（Layer-1）のシグナリングであってもよい。
【００４７】
一例では、当該要求は、物理レイヤシグナリング、例えばスケジューリング・リクエスト又はこれに類似したUplink Control Information（UCI）であってもよい。他の例では、当該要求は、RRCレイヤのUEアシスタンス情報メッセージに包含される情報要素（e.g., UEAssistanceInformation IE）に含まれてもよい。より具体的には、当該要求は、UEAssistanceInformation IEに含まれるdelayBudgetReport IEであってもよい。delayBudgetReport IEは、connected mode discontinuous reception (DRX)に関するUEの好み（preference）をUEがgNBに知らせるために使用される。あるいは、当該要求は、PDCCH/DCIをモニターする頻度（又は周期）を示すために新たに定義された情報要素であってもよい。当該新たな情報要素は、例えば、PrefPdcchPeriodReport IEと呼ばれてもよく、UEが希望するモニタリング周期（e.g., 0 ms、2 ms、4 ms、5ms、8 ms、10 ms、20 ms、又は40msなど）を示すENUMERATED型変数であってもよい。
【００４８】
これとは反対に、例えば、gNB１は、UE２へのスケジューリング頻度（又は周期）の低下を検出した場合（言い換えると、スケジューリングqueueが長いことを検出した場合、またはスケジューリングqueueが長くなったことを検出した場合）、gNB１は、当該UE２の活性化状態である１又はそれ以上のサーチスペースを非活性化してもよい。すなわち、gNB１は、サーチスペースの非活性化を示す指示（e.g., Layer-1シグナリング又はLayer-2シグナリング）をUE２に送信してもよい。
【００４９】
さらに又はこれに代えて、PDCCH/DCIをモニターする頻度（又は周期）の低下を示す明示的又は暗示的な要求をUE２から受信した場合に、gNB１は、当該UE２の活性化状態である１又はそれ以上のサーチスペースを非活性化してもよい。PDCCH/DCIをモニターする頻度（又は周期）の増加に関して述べたのと同様に、UE２からgNB１への当該要求は、RRCレイヤのシグナリングであってもよいし、MACレイヤ（Layer-2）のシグナリングであってもよいし、物理レイヤ（Layer-1）のシグナリングであってもよい。
【００５０】
gNB１は、Radio Network Temporary Identifier（RNTI）に基づき、UE２のサーチスペースの活性化／非活性化を変更してもよい。具体的には、gNB１は、RNTIからUE２のサービス種別を判断し、当該サービス種別に応じてサーチスペースの活性化／非活性化を変更してもよい。
【００５１】
CAのケースでは、gNB１は、サーチスペースの活性化（または非活性化）のためのシグナリングを、例えばMACレイヤ（Layer-2）のシグナリングによって、当該サーチスペースが設定されたサービングセルとは別のサービングセルにおいてUE２に送信してもよい。
【００５２】
gNB１は、サーチスペースを活性化（又は非活性化）するために、RRCレイヤではなく、下位レイヤ（e.g., Physical（PHY）レイヤ又はMedium Access Control（MAC）レイヤ）のシグナリングを用いてもよい。より具体的には、サーチスペースの活性化（または非活性化）は、物理レイヤ（Layer-1）のシグナリング、例えば、いずれかのサーチスペース（e.g., common search space #0）で送信されるPDCCH/DCIによって行われてもよい。これに代えて、サーチスペースの活性化（または非活性化）は、MACレイヤ（Layer-2）のシグナリング、例えばMAC Control Element（CE）によって行われてもよい。
【００５３】
図６Ａ、図６Ｂ、及び図６Ｃは、サーチスペースの活性化／非活性化のために使用されるMAC CE（e.g., Search Space Activation/Deactivation MAC CE）のフォーマットの例を示している。
【００５４】
図６Ａの例では、MAC CE６１０の第１オクテットはServing Cell IDフォールド及びBWP IDフォールドを示す。Serving Cell IDフォールドは、当該MAC CEが適用されるサービングセルの識別子を示す。BWP IDフォールドは、当該MAC CEが適用されるダウンリンクBWPの識別子を示す。符号“R”は、予備（reserved）ビットを意味する。MAC CE６１０の第２及び第３オクテット内のSSiフィールド（i.e., SS0からSS15）は、Search Space ID iを持つサーチスペースのactivation状態を示す。例えば、Search Space ID iを持つサーチスペースがdeactivatedされることを示すために、SSiフィールドは“０”をセットされてもよい。一方、Search Space ID iを持つサーチスペースがactivatedされることを示すために、SSiフィールドは“１”をセットされてもよい。
【００５５】
なお、Search Space ID 0を持つサーチスペース（search space #0）は、Physical Broadcast Channel（PBCH）で送信されるMaster Information Block（MIB）を介して設定されるinitial ダウンリンク BWP のcommon search spaceに関連付けられる。search space #0は常にactivatedされる、あるいはSCellに設定されないから、UE２は図６ＡのSS0フィールドを無視してもよい。あるいは、図６Ｂ及び図６Ｃに示されたMAC CE６２０及びMAC CE６３０例のように、Search Space Activation/Deactivation MAC CE はSS0フィールドを含まなくてもよい。
【００５６】
＜第３の実施形態＞
上述の実施形態において、gNB１は、UE２に設定されるサーチスペースのリストを包含するRRCメッセージを、他の基地局（e.g., gNB又はeNB）を介してUE２に送信してもよい。具体的には、gNB１は、他の基地局からgNB１へのUE２のハンドオーバの際に、当該他の基地局を介してUE２にRRCメッセージを送信してもよい。さらに又はこれに代えて、gNB１がDCのセカンダリノード（i.e., SgNB）として動作する場合、gNB１は、マスターノード（e.g., MgNB又はMeNB）として動作する他の基地局を介してUE２にRRCメッセージを送信してもよい。
【００５７】
＜第４の実施形態＞
上述の実施形態では、gNB１及びUE２は以下のように構成されてもよい。図７は、上述の実施形態に係るgNB１の構成例を示すブロック図である。図７を参照すると、gNB１は、Radio Frequencyトランシーバ７０１、ネットワークインターフェース７０３、プロセッサ７０４、及びメモリ７０５を含む。RFトランシーバ７０１は、UE２を含むUEsと通信するためにアナログRF信号処理を行う。RFトランシーバ７０１は、複数のトランシーバを含んでもよい。RFトランシーバ７０１は、アンテナアレイ７０２及びプロセッサ７０４と結合される。RFトランシーバ７０１は、変調シンボルデータをプロセッサ７０４から受信し、送信RF信号を生成し、送信RF信号をアンテナアレイ７０２に供給する。また、RFトランシーバ７０１は、アンテナアレイ７０２によって受信された受信RF信号に基づいてベースバンド受信信号を生成し、これをプロセッサ７０４に供給する。RFトランシーバ７０１は、ビームフォーミングのためのアナログビームフォーマ回路を含んでもよい。アナログビームフォーマ回路は、例えば複数の移相器及び複数の電力増幅器を含む。
【００５８】
ネットワークインターフェース７０３は、ネットワークノード（e.g., 5G Coreの制御ノード及び転送ノード）と通信するために使用される。ネットワークインターフェース７０３は、例えば、IEEE 802.3 seriesに準拠したネットワークインターフェースカード（NIC）を含んでもよい。
【００５９】
プロセッサ７０４は、無線通信のためのデジタルベースバンド信号処理（データプレーン処理）とコントロールプレーン処理を行う。プロセッサ７０４は、複数のプロセッサを含んでもよい。例えば、プロセッサ７０４は、デジタルベースバンド信号処理を行うモデム・プロセッサ（e.g., Digital Signal Processor（DSP））とコントロールプレーン処理を行うプロトコルスタック・プロセッサ（e.g., Central Processing Unit（CPU）又はMicro Processing Unit（MPU））を含んでもよい。
【００６０】
例えば、プロセッサ７０４によるデジタルベースバンド信号処理は、Service Data Adaptation Protocol（SDAP）レイヤ、Packet Data Convergence Protocol（PDCP）レイヤ、Radio Link Control（RLC）レイヤ、MACレイヤ、およびPHYレイヤの信号処理を含んでもよい。また、プロセッサ７０４によるコントロールプレーン処理は、Non-Access Stratum（NAS）messages、RRC messages、MAC CEs、及びDCIsの処理を含んでもよい。
【００６１】
プロセッサ７０４は、ビームフォーミングのためのデジタルビームフォーマ・モジュールを含んでもよい。デジタルビームフォーマ・モジュールは、Multiple Input Multiple Output（MIMO）エンコーダ及びプリコーダを含んでもよい。
【００６２】
メモリ７０５は、揮発性メモリ及び不揮発性メモリの組み合わせによって構成される。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。メモリ７０５は、プロセッサ７０４から離れて配置されたストレージを含んでもよい。この場合、プロセッサ７０４は、ネットワークインターフェース７０３又は図示されていないI/Oインタフェースを介してメモリ７０５にアクセスしてもよい。
【００６３】
メモリ７０５は、上述の複数の実施形態で説明されたgNB１による処理を行うための命令群およびデータを含む１又はそれ以上のソフトウェアモジュール（コンピュータプログラム）７０６を格納してもよい。いくつかの実装において、プロセッサ７０４は、当該ソフトウェアモジュール７０６をメモリ７０５から読み出して実行することで、上述の実施形態で説明されたgNB１の処理を行うよう構成されてもよい。
【００６４】
なお、gNB１がgNB-CUである場合、gNB１は、RFトランシーバ７０１（及びアンテナアレイ７０２）を含まなくてもよい。
【００６５】
図８は、UE２の構成例を示すブロック図である。Radio Frequency（RF）トランシーバ８０１は、gNB１と通信するためにアナログRF信号処理を行う。RFトランシーバ８０１は、複数のトランシーバを含んでもよい。RFトランシーバ８０１により行われるアナログRF信号処理は、周波数アップコンバージョン、周波数ダウンコンバージョン、及び増幅を含む。RFトランシーバ８０１は、アンテナアレイ８０２及びベースバンドプロセッサ８０３と結合される。RFトランシーバ８０１は、変調シンボルデータ（又はOFDMシンボルデータ）をベースバンドプロセッサ８０３から受信し、送信RF信号を生成し、送信RF信号をアンテナアレイ８０２に供給する。また、RFトランシーバ８０１は、アンテナアレイ８０２によって受信された受信ＲＦ信号に基づいてベースバンド受信信号を生成し、これをベースバンドプロセッサ８０３に供給する。RFトランシーバ８０１は、ビームフォーミングのためのアナログビームフォーマ回路を含んでもよい。アナログビームフォーマ回路は、例えば複数の移相器及び複数の電力増幅器を含む。
【００６６】
ベースバンドプロセッサ８０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００６７】
例えば、ベースバンドプロセッサ８０３によるデジタルベースバンド信号処理は、Service Data Adaptation Protocol（SDAP）レイヤ、Packet Data Convergence Protocol（PDCP）レイヤ、Radio Link Control（RLC）レイヤ、MACレイヤ、およびPHYレイヤの信号処理を含んでもよい。また、ベースバンドプロセッサ８０３によるコントロールプレーン処理は、NAS messages、RRC messages、MAC CEs、及びDCIsの処理を含んでもよい。
【００６８】
ベースバンドプロセッサ８０３は、ビームフォーミングのためのMIMOエンコーディング及びプリコーディングを行ってもよい。
【００６９】
ベースバンドプロセッサ８０３は、デジタルベースバンド信号処理を行うモデム・プロセッサ（e.g., DSP）とコントロールプレーン処理を行うプロトコルスタック・プロセッサ（e.g., CPU又はMPU）を含んでもよい。この場合、コントロールプレーン処理を行うプロトコルスタック・プロセッサは、後述するアプリケーションプロセッサ８０４と共通化されてもよい。
【００７０】
アプリケーションプロセッサ８０４は、CPU、MPU、マイクロプロセッサ、又はプロセッサコアとも呼ばれる。アプリケーションプロセッサ８０４は、複数のプロセッサ（複数のプロセッサコア）を含んでもよい。アプリケーションプロセッサ８０４は、メモリ８０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、UE２の各種機能を実現する。
【００７１】
幾つかの実装において、図８に破線（８０５）で示されているように、ベースバンドプロセッサ８０３及びアプリケーションプロセッサ８０４は、１つのチップ上に集積されてもよい。言い換えると、ベースバンドプロセッサ８０３及びアプリケーションプロセッサ８０４は、１つのSystem on Chip（SoC）デバイス８０５として実装されてもよい。SoCデバイスは、システムLarge Scale Integration（LSI）またはチップセットと呼ばれることもある。
【００７２】
メモリ８０６は、揮発性メモリ若しくは不揮発性メモリ又はこれらの組合せである。メモリ８０６は、物理的に独立した複数のメモリデバイスを含んでもよい。揮発性メモリは、例えば、SRAM若しくはDRAM又はこれらの組み合わせである。不揮発性メモリは、MROM、EEPROM、フラッシュメモリ、若しくはハードディスクドライブ、又はこれらの任意の組合せである。例えば、メモリ８０６は、ベースバンドプロセッサ８０３、アプリケーションプロセッサ８０４、及びSoC８０５からアクセス可能な外部メモリデバイスを含んでもよい。メモリ８０６は、ベースバンドプロセッサ８０３内、アプリケーションプロセッサ８０４内、又はSoC８０５内に集積された内蔵メモリデバイスを含んでもよい。さらに、メモリ８０６は、Universal Integrated Circuit Card（UICC）内のメモリを含んでもよい。
【００７３】
メモリ８０６は、上述の複数の実施形態で説明されたUE２による処理を行うための命令群およびデータを含む１又はそれ以上のソフトウェアモジュール（コンピュータプログラム）８０７を格納してもよい。幾つかの実装において、ベースバンドプロセッサ８０３又はアプリケーションプロセッサ８０４は、当該ソフトウェアモジュール８０７をメモリ８０６から読み出して実行することで、上述の実施形態で図面を用いて説明されたUE２の処理を行うよう構成されてもよい。
【００７４】
なお、上述の実施形態で説明されたUE２によって行われるコントロールプレーン処理及び動作は、RFトランシーバ８０１及びアンテナアレイ８０２を除く他の要素、すなわちベースバンドプロセッサ８０３及びアプリケーションプロセッサ８０４の少なくとも一方とソフトウェアモジュール８０７を格納したメモリ８０６とによって実現されることができる。
【００７５】
図７及び図８を用いて説明したように、上述の実施形態に係るgNB１及びUE２が有するプロセッサの各々は、図面を用いて説明されたアルゴリズムをコンピュータに行わせるための命令群を含む１又は複数のプログラムを実行する。このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７６】
＜その他の実施形態＞
上述の実施形態は、各々独立に実施されてもよいし、実施形態全体又はその一部が適宜組み合わせて実施されてもよい。
【００７７】
上述実施形態において、SCellに関するサービングセル設定は、UE２が常にモニターすべきUE-specific search spaceを示す情報（e.g., フラグ）を含んでもよい。SCellのダウンリンクBWPにcommon search spaceが設定されない場合、UE２は該フラグにより示されたUE-specific search spaceをモニターすることで、PDCCH/DCIを受信することができる。このようなUE-specific search spaceは、デフォルト・サーチスペースと呼ばれてもよい。
【００７８】
本明細書における無線端末（User Equipment（UE））は、無線インタフェースを介して、ネットワークに接続されたエンティティである。本明細書の無線端末（UE）は、専用の通信装置に限定されるものではなく、本明細書中に記載された無線端末（UE）の通信機能を有する次のような任意の機器であってもよい。
【００７９】
「（3GPPで使われる単語としての）ユーザー端末（User Equipment（UE））」、「移動局（mobile station）」、「移動端末（mobile terminal）」、「モバイルデバイス（mobile device）」、及び「無線端末（wireless device）」との用語は、一般的に互いに同義であることが意図されている。UEは、ターミナル、携帯電話、スマートフォン、タブレット、セルラIoT端末、IoTデバイス、などのスタンドアローン移動局であってもよい。「UE」及び「無線端末」との用語は、長期間にわたって静止している装置も包含する。
【００８０】
UEは、例えば、生産設備・製造設備および／またはエネルギー関連機械（一例として、ボイラー、機関、タービン、ソーラーパネル、風力発電機、水力発電機、火力発電機、原子力発電機、蓄電池、原子力システム、原子力関連機器、重電機器、真空ポンプなどを含むポンプ、圧縮機、ファン、送風機、油圧機器、空気圧機器、金属加工機械、マニピュレータ、ロボット、ロボット応用システム、工具、金型、ロール、搬送装置、昇降装置、貨物取扱装置、繊維機械、縫製機械、印刷機、印刷関連機械、紙工機械、化学機械、鉱山機械、鉱山関連機械、建設機械、建設関連機械、農業用機械および／または器具、林業用機械および／または器具、漁業用機械および／または器具、安全および／または環境保全器具、トラクター、軸受、精密ベアリング、チェーン、歯車（ギアー）、動力伝動装置、潤滑装置、弁、管継手、および／または上記で述べた任意の機器又は機械のアプリケーションシステムなど）であってもよい。
【００８１】
UEは、例えば、輸送用装置（一例として、車両、自動車、二輪自動車、自転車、列車、バス、リヤカー、人力車、船舶（ship and other watercraft）、飛行機、ロケット、人工衛星、ドローン、気球など）であってもよい。
【００８２】
UEは、例えば、情報通信用装置（一例として、電子計算機及び関連装置、通信装置及び関連装置、電子部品など）であってもよい。
【００８３】
UEは、例えば、冷凍機、冷凍機応用製品および装置、商業およびサービス用機器、自動販売機、自動サービス機、事務用機械及び装置、民生用電気・電子機械器具（一例として音声機器、スピーカー、ラジオ、映像機器、テレビ、オーブンレンジ、炊飯器、コーヒーメーカー、食洗機、洗濯機、乾燥機、扇風機、換気扇及び関連製品、掃除機など）であってもよい。
【００８４】
UEは、例えば、電子応用システムまたは電子応用装置（一例として、X線装置、粒子加速装置、放射性物質応用装置、音波応用装置、電磁応用装置、電力応用装置など）であってもよい。
【００８５】
UEは、例えば、電球、照明、計量機、分析機器、試験機及び計測機械（一例として、煙報知器、対人警報センサ、動きセンサ、無線タグなど）、時計（watchまたはclock）、理化学機械、光学機械、医療用機器および／または医療用システム、武器、利器工匠具、または手道具であってもよい。
【００８６】
UEは、例えば、無線通信機能を備えたパーソナルデジタルアシスタントまたは装置（一例として、無線カードや無線モジュールなどを取り付けられる、もしくは挿入するよう構成された電子装置（例えば、パーソナルコンピュータや電子計測器など））であってもよい。
【００８７】
UEは、例えば、有線や無線通信技術を使用した「あらゆるモノのインターネット（IoT：Internet of Things）」において、以下のアプリケーション、サービス、ソリューションを提供する装置またはその一部であってもよい。IoTデバイス（もしくはモノ）は、デバイスが互いに、および他の通信デバイスとの間で、データ収集およびデータ交換することを可能にする適切な電子機器、ソフトウェア、センサ、ネットワーク接続、などを備える。IoTデバイスは、内部メモリの格納されたソフトウェア指令に従う自動化された機器であってもよい。IoTデバイスは、人間による監督または対応を必要とすることなく動作してもよい。IoTデバイスは、長期間にわたって備え付けられている装置および／または、長期間に渡って非活性状態（inactive）状態のままであってもよい。IoTデバイスは、据え置き型な装置の一部として実装され得る。IoTデバイスは、非据え置き型の装置（例えば車両など）に埋め込まれ得る、または監視される／追跡される動物や人に取り付けられ得る。IoT技術は、人間の入力による制御またはメモリに格納されるソフトウェア命令に関係なくデータを送受信する通信ネットワークに接続されることができる任意の通信デバイス上に実装されることができる。IoTデバイスは、機械型通信（Machine Type Communication、MTC）デバイス、またはマシンツーマシン（Machine to Machine、M2M）通信デバイス、Narrow Band-IoT (NB-IoT) UEと呼ばれることもある。
【００８８】
UEは、１つまたは複数のIoTまたはMTCアプリケーションをサポートしてもよい。
【００８９】
MTCアプリケーションのいくつかの例は、3GPP TS22.368 V13.2.0(2017-01-13) Annex B（その内容は参照により本明細書に組み込まれる）に示されたリストに列挙されている。このリストは、網羅的ではなく、一例としてのMTCアプリケーションを示すものである。このリストでは、MTCアプリケーションのサービス範囲 (Service Area)は、セキュリティ (Security)、追跡及びトレース (Tracking & Tracing)、支払い (Payment)、健康 (Health)、リモートメンテナンス／制御 (Remote Maintenance/Control)、計量 (Metering)、及び民生機器 (Consumer Devices)を含む。
【００９０】
セキュリティに関するMTCアプリケーションの例は、監視システム (Surveillance systems)、固定電話のバックアップ (Backup for landline)、物理アクセスの制御（例えば建物へのアクセス） (Control of physical access (e.g. to buildings))、及び車／運転手のセキュリティ (Car/driver security)を含む。
【００９１】
追跡及びトレースに関するMTCアプリケーションの例は、フリート管理 (Fleet Management)、注文管理 (Order Management)、テレマティクス保険：走行に応じた課金 (Pay as you drive (PAYD))、資産追跡 (Asset Tracking)、ナビゲーション (Navigation)、交通情報 (Traffic information)、道路料金徴収 (Road tolling)、及び道路通行最適化／誘導 (Road traffic optimisation/steering)を含む。
【００９２】
支払いに関するMTCアプリケーションの例は、販売時点情報管理 (Point of sales (POS))、自動販売機 (Vending machines)、及び遊戯機 (Gaming machines)を含む。
【００９３】
健康に関するMTCアプリケーションの例は、生命徴候の監視 (Monitoring vital signs)、高齢者又は障害者支援 (Supporting the aged or handicapped)、ウェブアクセス遠隔医療 (Web Access Telemedicine points)、及びリモート診断 (Remote diagnostics)を含む。
【００９４】
リモートメンテナンス／制御に関するMTCアプリケーションの例は、センサ (Sensors)、明かり (Lighting)、ポンプ (Pumps)、バルブ (Valves)、エレベータ制御 (Elevator control)、自動販売機制御 (Vending machine control)、及び車両診断 (Vehicle diagnostics)を含む。
【００９５】
計量に関するMTCアプリケーションの例は、パワー (Power)、ガス (Gas)
水 (Water)、暖房 (Heating)、グリッド制御 (Grid control)、及び産業用メータリング (Industrial metering)を含む。
【００９６】
民生機器に関するMTCアプリケーションの例は、デジタルフォトフレーム、デジタルカメラ、及び電子ブック (ebook)を含む。
【００９７】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００９８】
例えば、上記の実施形態の一部又は全部は、以下の付記のようにも記載され得るが、以下には限られない。
【００９９】
（付記１）
無線端末であって、
少なくとも１つのメモリと、
前記少なくとも１つのメモリに結合された少なくとも１つのプロセッサと、
を備え、
前記少なくとも１つのプロセッサは、前記無線端末のために基地局により設定されるサーチスペース（search spaces）のリストを示す第１の情報要素を、前記無線端末あての個別シグナリングメッセージを介して受信するよう構成され、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、は、各サーチスペースが当初は（initially）非活性化されるかをサーチスペース毎（per-search space）に示す第３の情報要素を含む、
無線端末。
【０１００】
（付記２）
前記少なくとも１つのプロセッサは、前記第３の情報要素に基づいて、各サーチスペースがダウンリンク制御情報を受信するためにモニターされる必要があるか否かをサーチスペース毎に判断するよう構成される、
付記１に記載の無線端末。
【０１０１】
（付記３）
前記少なくとも１つのプロセッサは、前記第３の情報要素が非活性化を示す場合に、前記第３の情報要素に関連付けられたサーチスペースがダウンリンク制御情報を受信するためにモニターされる必要がないと判断するよう構成され、
前記少なくとも１つのプロセッサは、前記第３の情報要素が非活性化を示さない場合に、前記第３の情報要素に関連付けられた前記サーチスペースがダウンリンク制御情報を受信するためにモニターされる必要があると判断するよう構成される、
付記１又は２に記載の無線端末。
【０１０２】
（付記４）
前記少なくとも１つのプロセッサは、Radio Resource Control（RRC）レイヤ動作を行うよう構成され、
前記RRCレイヤ動作は、前記第３の情報要素が非活性化を示す場合に、前記第３の情報要素に関連付けられたサーチスペースがモニターされなくてもよいことを前記無線端末の物理レイヤに知らせることを含む、
付記１〜３のいずれか１項に記載の無線端末。
【０１０３】
（付記５）
前記少なくとも１つのプロセッサは、Radio Resource Control（RRC）レイヤ動作を行うよう構成され、
前記RRCレイヤ動作は、前記第３の情報要素が非活性化を示す場合に、前記第３の情報要素に関連付けられたサーチスペースをモニターしないように前記無線端末の物理レイヤを設定することを含む、
付記１〜３のいずれか１項に記載の無線端末。
【０１０４】
（付記６）
前記第２の情報要素は、各サーチスペースの識別子を示す情報要素を含む、
付記１〜５のいずれか１項に記載の無線端末。
【０１０５】
（付記７）
前記第２の情報要素は、各サーチスペースのリソース位置を示す情報要素、各サーチスペースのタイプを示す情報要素、各サーチスペースでモニターされるべきダウンリンク制御情報のタイプを示す情報要素、及び各サーチスペースの周期性（periodicity）を示す情報要素、のうち少なくとも１つを含む、
付記１〜６いずれか１項に記載の無線端末。
【０１０６】
（付記８）
前記第１の情報要素は、１つのダウンリンクBandwidth Part（BWP）の設定に関し、
前記第２及び第３の情報要素は、前記ダウンリンクBWP内に設定される各サーチスペースに関する、
付記１〜７のいずれか１項に記載の無線端末。
【０１０７】
（付記９）
前記個別シグナリングメッセージは、Radio Resource Control（RRC）メッセージである、
付記１〜８のいずれか１項に記載の無線端末。
【０１０８】
（付記１０）
前記第１の情報要素は、searchSpacesToAddModList情報要素であり、
前記第２の情報要素は、前記searchSpacesToAddModList情報要素に包含されるSearchSpace情報要素であり、
前記第３の情報要素は、前記SearchSpace情報要素に包含される、
付記９に記載の無線端末。
【０１０９】
（付記１１）
前記少なくとも１つのプロセッサは、他の基地局から前記基地局への前記無線端末のハンドオーバの際に、前記他の基地局を介して前記個別シグナリングメッセージを受信するよう構成される、
付記１〜１０のいずれか１項に記載の無線端末。
【０１１０】
（付記１２）
基地局であって、
少なくとも１つのメモリと、
前記少なくとも１つのメモリに結合された少なくとも１つのプロセッサと、
を備え、
前記少なくとも１つのプロセッサは、無線端末のために前記基地局により設定されるサーチスペース（search spaces）のリストを示す第１の情報要素を、前記無線端末あての個別シグナリングメッセージを介して前記無線端末に送信するよう構成され、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、は、各サーチスペースが当初は（initially）非活性化されるかをサーチスペース毎（per-search space）に示す第３の情報要素を含む、
基地局。
【０１１１】
（付記１３）
前記第３の情報要素は、各サーチスペースがダウンリンク制御情報を受信するためにモニターされる必要があるか否かをサーチスペース毎に判断することを前記無線端末に促す、
付記１２に記載の基地局。
【０１１２】
（付記１４）
前記第３の情報要素は、前記第３の情報要素が非活性化を示す場合に、前記第３の情報要素に関連付けられたサーチスペースがダウンリンク制御情報を受信するためにモニターされる必要がないと判断することを前記無線端末に促し、
前記第３の情報要素は、前記第３の情報要素が非活性化を示さない場合に、前記第３の情報要素に関連付けられた前記サーチスペースがダウンリンク制御情報を受信するためにモニターされる必要があると判断することを前記無線端末に引き起す、
付記１２又は１３に記載の基地局。
【０１１３】
（付記１５）
前記第３の情報要素は、前記第３の情報要素が非活性化を示す場合に、前記第３の情報要素に関連付けられたサーチスペースがモニターされなくてもよいことを前記無線端末の物理レイヤに知らせることを前記無線端末のRadio Resource Control（RRC）レイヤに促す、
付記１２〜１４のいずれか１項に記載の基地局。
【０１１４】
（付記１６）
前記第３の情報要素は、前記第３の情報要素が非活性化を示す場合に、前記第３の情報要素に関連付けられたサーチスペースをモニターしないように前記無線端末の物理レイヤを設定することを前記無線端末のRadio Resource Control（RRC）レイヤに促す、
付記１２〜１４のいずれか１項に記載の基地局。
【０１１５】
（付記１７）
前記第２の情報要素は、各サーチスペースの識別子を示す情報要素を含む、
付記１２〜１６のいずれか１項に記載の基地局。
【０１１６】
（付記１８）
前記第２の情報要素は、各サーチスペースのリソース位置を示す情報要素、各サーチスペースのタイプを示す情報要素、各サーチスペースでモニターされるべきダウンリンク制御情報のタイプを示す情報要素、及び各サーチスペースの周期性（periodicity）を示す情報要素、のうち少なくとも１つを含む、
付記１２〜１７いずれか１項に記載の基地局。
【０１１７】
（付記１９）
前記第１の情報要素は、１つのダウンリンクBandwidth Part（BWP）内に設定される複数のサーチスペースに関し、
前記第２及び第３の情報要素は、前記ダウンリンクBWP内に設定される各サーチスペースに関する、
付記１２〜１８のいずれか１項に記載の基地局。
【０１１８】
（付記２０）
前記個別シグナリングメッセージは、Radio Resource Control（RRC）メッセージである、
付記１２〜１９のいずれか１項に記載の基地局。
【０１１９】
（付記２１）
前記第１の情報要素は、searchSpacesToAddModList情報要素であり、
前記第２の情報要素は、前記searchSpacesToAddModList情報要素に包含されるSearchSpace情報要素であり、
前記第３の情報要素は、前記SearchSpace情報要素に包含される、
付記２０に記載の基地局。
【０１２０】
（付記２２）
前記少なくとも１つのプロセッサは、他の基地局から前記基地局への前記無線端末のハンドオーバの際に、前記他の基地局を介して前記個別シグナリングメッセージを前記無線端末に送信するよう構成される、
付記１２〜２１のいずれか１項に記載の基地局。
【０１２１】
（付記２３）
無線端末のための方法であって、
前記無線端末のために基地局により設定されるサーチスペース（search spaces）のリストを示す第１の情報要素を、前記無線端末あての個別シグナリングメッセージを介して受信することを備え、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、は、各サーチスペースが当初は（initially）非活性化されるかをサーチスペース毎（per-search space）に示す第３の情報要素を含む、
方法。
【０１２２】
（付記２４）
基地局のための方法であって、
無線端末のために前記基地局により設定されるサーチスペース（search spaces）のリストを示す第１の情報要素を、前記無線端末あての個別シグナリングメッセージを介して前記無線端末に送信することを備え、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、は、各サーチスペースが当初は（initially）非活性化されるかをサーチスペース毎（per-search space）に示す第３の情報要素を含む、
方法。
【０１２３】
（付記２５）
無線端末のための方法をコンピュータに行わせるためのプログラムであって、
前記方法は、前記無線端末のために基地局により設定されるサーチスペース（search spaces）のリストを示す第１の情報要素を、前記無線端末あての個別シグナリングメッセージを介して受信することを備え、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、は、各サーチスペースが当初は（initially）非活性化されるかをサーチスペース毎（per-search space）に示す第３の情報要素を含む、
プログラム。
【０１２４】
（付記２６）
基地局のための方法をコンピュータに行わせるためのプログラムであって、
前記方法は、無線端末のために前記基地局により設定されるサーチスペース（search spaces）のリストを示す第１の情報要素を、前記無線端末あての個別シグナリングメッセージを介して前記無線端末に送信することを備え、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、は、各サーチスペースが当初は（initially）非活性化されるかをサーチスペース毎（per-search space）に示す第３の情報要素を含む、
プログラム。
【０１２５】
この出願は、２０１９年２月１２日に出願された日本出願特願２０１９−０２２９４９を基礎とする優先権を主張し、その開示の全てをここに取り込む。
【符号の説明】
【０１２６】
１  gNB
２  UE
１０１  エアインタフェース
６０４  プロセッサ
６０５  メモリ
７０３  ベースバンドプロセッサ
７０４  アプリケーションプロセッサ
７０６  メモリ
【図１】
2020166207.tif 000003
【図２】
2020166207.tif 000004
【図３】
2020166207.tif 000005
【図４】
2020166207.tif 000006
【図５】
2020166207.tif 000007
【図６Ａ】
2020166207.tif 000008
【図６Ｂ】
2020166207.tif 000009
【図６Ｃ】
2020166207.tif 000010
【図７】
2020166207.tif 000011
【図８】
2020166207.tif 000012
【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
無線端末であって、
少なくとも１つのメモリと、
前記少なくとも１つのメモリに結合された少なくとも１つのプロセッサと、
を備え、
前記少なくとも１つのプロセッサは、前記無線端末のために基地局により設定されるサーチスペース（search spaces）のリストを示す第１の情報要素を、前記無線端末あての個別シグナリングメッセージを介して受信するよう構成され、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、各サーチスペースが当初は（initially）非活性化されるかをサーチスペース毎（per-search space）に示す第３の情報要素を含む、
無線端末。
【請求項２】
前記少なくとも１つのプロセッサは、前記第３の情報要素に基づいて、各サーチスペースがダウンリンク制御情報を受信するためにモニターされる必要があるか否かをサーチスペース毎に判断するよう構成される、
請求項１に記載の無線端末。
【請求項３】
前記少なくとも１つのプロセッサは、前記第３の情報要素が非活性化を示す場合に、前記第３の情報要素に関連付けられたサーチスペースがダウンリンク制御情報を受信するためにモニターされる必要がないと判断するよう構成され、
前記少なくとも１つのプロセッサは、前記第３の情報要素が非活性化を示さない場合に、前記第３の情報要素に関連付けられた前記サーチスペースがダウンリンク制御情報を受信するためにモニターされる必要があると判断するよう構成される、
請求項１又は２に記載の無線端末。
【請求項４】
前記少なくとも１つのプロセッサは、Radio Resource Control（RRC）レイヤ動作を行うよう構成され、
前記RRCレイヤ動作は、前記第３の情報要素が非活性化を示す場合に、前記第３の情報要素に関連付けられたサーチスペースがモニターされなくてもよいことを前記無線端末の物理レイヤに知らせることを含む、
請求項１〜３のいずれか１項に記載の無線端末。
【請求項５】
前記少なくとも１つのプロセッサは、Radio Resource Control（RRC）レイヤ動作を行うよう構成され、
前記RRCレイヤ動作は、前記第３の情報要素が非活性化を示す場合に、前記第３の情報要素に関連付けられたサーチスペースをモニターしないように前記無線端末の物理レイヤを設定することを含む、
請求項１〜３のいずれか１項に記載の無線端末。
【請求項６】
前記第２の情報要素は、各サーチスペースの識別子を示す情報要素を含む、
請求項１〜５のいずれか１項に記載の無線端末。
【請求項７】
前記第２の情報要素は、各サーチスペースのリソース位置を示す情報要素、各サーチスペースのタイプを示す情報要素、各サーチスペースでモニターされるべきダウンリンク制御情報のタイプを示す情報要素、及び各サーチスペースの周期性（periodicity）を示す情報要素、のうち少なくとも１つを含む、
請求項１〜６いずれか１項に記載の無線端末。
【請求項８】
前記第１の情報要素は、１つのダウンリンクBandwidth Part（BWP）の設定に関し、
前記第２及び第３の情報要素は、前記ダウンリンクBWP内に設定される各サーチスペースに関する、
請求項１〜７のいずれか１項に記載の無線端末。
【請求項９】
基地局であって、
少なくとも１つのメモリと、
前記少なくとも１つのメモリに結合された少なくとも１つのプロセッサと、
を備え、
前記少なくとも１つのプロセッサは、無線端末のために前記基地局により設定されるサーチスペース（search spaces）のリストを示す第１の情報要素を、前記無線端末あての個別シグナリングメッセージを介して前記無線端末に送信するよう構成され、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、各サーチスペースが当初は（initially）非活性化されるかをサーチスペース毎（per-search space）に示す第３の情報要素を含む、
基地局。
【請求項１０】
無線端末のための方法であって、
前記無線端末のために基地局により設定されるサーチスペース（search spaces）のリストを示す第１の情報要素を、前記無線端末あての個別シグナリングメッセージを介して受信することを備え、
前記第１の情報要素は、前記リストに含まれる各サーチスペースにおいてダウンリンク制御情報をモニターするために前記無線端末に必要な各サーチスペースの設定を示す第２の情報要素を包含し、
前記第１の情報要素は、さらに、各サーチスペースが当初は（initially）非活性化されるかをサーチスペース毎（per-search space）に示す第３の情報要素を含む、
方法。
【国際調査報告】
2020166207.tif 000013
2020166207.tif 000014
2020166207.tif 000015
2020166207.tif 000016